(57)【要約】【課題】チャフシーブにかかる選別負荷を軽減することができる脱穀装置を提供することを目的とする。【解決手段】シーブケース１０と、シーブケース１０に選別風を供給する唐箕７と、を備え、シーブケース１０には、その前端側に設けられる第一グレンパン１１と、第一グレンパン１１の下方に設けられる第二グレンパン１４と、第一グレンパン１１の後端部に設けられる第一篩い線１２及び第二篩い線１３と、第二グレンパン１４の後方に設けられるチャフシーブ１５と、が備えられ、第一篩い線１２及び第二篩い線１３は、第二グレンパン１４の上方で、かつ、チャフシーブ１５の上方に配置されている。【選択図】図２
2014014331.tif 000002
【特許請求の範囲】
【請求項１】
シーブケースと、
前記シーブケースに選別風を供給する唐箕と、を備え、
前記シーブケースには、
その搬送始端側に設けられる第一グレンパンと、
前記第一グレンパンの下方に設けられる第二グレンパンと、
前記第一グレンパンの搬送終端部に設けられる漏下選別部と、
前記第二グレンパンの搬送終端側方に設けられるチャフシーブと、が備えられ、
前記漏下選別部は、前記第二グレンパンの上方で、かつ、前記チャフシーブの上方に配置されている脱穀装置。
【請求項２】
前記漏下選別部は、篩い線である請求項１に記載の脱穀装置。
【請求項３】
前記第二グレンパンと前記チャフシーブとが、略同じ高さに配置されている請求項１又は請求項２に記載の脱穀装置。
【請求項４】
前記チャフシーブは、側面視において搬送終端側上がりに傾斜している請求項１から請求項３までのいずれか一項に記載の脱穀装置。
【請求項５】
前記漏下選別部は、側面視において搬送終端側上がりに傾斜している請求項１から請求項４までのいずれか一項に記載の脱穀装置。
【請求項６】
前記唐箕は、
前記シーブケースの下部に供給する選別風が流れる第一風路と、
前記シーブケースの上部に供給する選別風が流れる第二風路と、を備え、
前記第一グレンパンと前記第二グレンパンとの間には、前記第二風路からの選別風が流れる第三風路が形成されている請求項１から請求項５までのいずれか一項に記載の脱穀装置。
【請求項７】
前記第三風路は、側面視において搬送終端側上がりに傾斜し、
前記漏下選別部は、側面視において搬送終端側上がりに傾斜し、
前記第三風路の傾斜角度と前記漏下選別部の傾斜角度とが略同じである請求項６記載の脱穀装置。
【請求項８】
前記シーブケースにおいて前記第三風路の出口部の下部には、側面視において略波形状の前記第二グレンパンが設けられ、
前記第二グレンパンの搬送始端側には、前記第二グレンパンにおける他の波形部よりも深い波形部が形成されている請求項６又は請求項７に記載の脱穀装置。
【請求項９】
前記漏下選別部は、篩い線であり、
前記篩い線は、側面視において略波形状に形成されている請求項１から請求項８までのいずれか一項に記載の脱穀装置。
【請求項１０】
前記漏下選別部は、篩い線であり、
前記第一グレンパンの搬送終端部には、複数の前記篩い線が搬送方向に並設され、
前記複数の篩い線は、側面視において搬送終端側上がりに傾斜し、かつ、その傾斜角度が搬送終端側の篩い線ほど大きい請求項１から請求項９までのいずれか一項に記載の脱穀装置。
【請求項１１】
前記漏下選別部は、篩い線であり、
前記第一グレンパンの搬送終端部には、複数の前記篩い線が搬送方向に並設され、
前記複数の篩い線において搬送方向に隣り合う一方の篩い線の搬送終端部と他方の篩い線の搬送始端部との間には、所定の隙間が形成されている請求項１から請求項１０までのいずれか一項に記載の脱穀装置。
【請求項１２】
前記シーブケースにおいて前記篩い線の下方には、前記チャフシーブが設けられ、
前記隙間は、平面視において前記チャフシーブの搬送始端側と重複する請求項１１に記載の脱穀装置。
【請求項１３】
前記シーブケースにおいて前記篩い線の下方には、前記チャフシーブが設けられ、
前記複数の篩い線のうち搬送終端側の篩い線は、前記チャフシーブの搬送始端側上方に配置され、かつ、少なくともその一部が、平面視において前記チャフシーブの搬送始端側と重複する請求項１０から請求項１２までのいずれか一項に記載の脱穀装置。
【請求項１４】
前記シーブケースの下方には、一番回収部が設けられ、
前記複数の篩い線のうち搬送終端側の篩い線は、前記一番回収部の上方に配置され、かつ、少なくともその一部が、平面視において前記一番回収部と重複する請求項１０から請求項１３までのいずれか一項に記載の脱穀装置。
【請求項１５】
前記漏下選別部は、篩い線であり、
前記篩い線は、少なくともその一部が前記シーブケースの上辺部よりも上方に突出している請求項１から請求項１４までのいずれか一項に記載の脱穀装置。
【発明の詳細な説明】
【技術分野】
【０００１】
本発明は、脱穀装置に関する。より詳細には、シーブケースと、前記シーブケースに選別風を供給する唐箕と、を備え、前記シーブケースには、その搬送始端側に設けられる第一グレンパンと、前記第一グレンパンの下方に設けられる第二グレンパンと、前記第一グレンパンの搬送終端部に設けられる漏下選別部と、前記第二グレンパンの搬送終端側方に設けられるチャフシーブと、が備えられている脱穀装置に関する。
【背景技術】
【０００２】
従来より、上記のような脱穀装置は、公知となっている。例えば、特許文献１に記載の脱穀装置において、シーブケースには、その搬送始端側に設けられる第一グレンパン（前フィードパン）と、前フィードパンの下方に設けられる第二グレンパン（後フィードパン）と、前フィードパンの搬送終端部に設けられる漏下選別部（篩線）と、後フィードパンの搬送終端側方に設けられるチャフシーブと、が備えられている。
【先行技術文献】
【特許文献】
【０００３】
【特許文献１】特開２００７−３０６９３２号公報
【発明の概要】
【発明が解決しようとする課題】
【０００４】
しかしながら、特許文献１に記載の脱穀装置では、篩線が後フィードパンの上方にしか配置されていない。つまり、篩線がチャフシーブの上方まで延びていないため、チャフシーブが最初の漏下選別部として機能している。したがって、チャフシーブには、未だ選別処理されていない脱穀処理物が供給されるため、大きな選別負荷がかかっていた。
【０００５】
本発明は以上の如き状況に鑑みてなされたものであり、チャフシーブにかかる選別負荷を軽減することができる脱穀装置を提供することを目的とする。
【課題を解決するための手段】
【０００６】
本発明に係る脱穀装置の特徴構成は、シーブケースと、前記シーブケースに選別風を供給する唐箕と、を備え、前記シーブケースには、その搬送始端側に設けられる第一グレンパンと、前記第一グレンパンの下方に設けられる第二グレンパンと、前記第一グレンパンの搬送終端部に設けられる漏下選別部と、前記第二グレンパンの搬送終端側方に設けられるチャフシーブと、が備えられ、前記漏下選別部は、前記第二グレンパンの上方で、かつ、前記チャフシーブの上方に配置されている、ことにある。
【０００７】
本特徴構成によれば、漏下選別部がチャフシーブの上方まで延びていることにより、チャフシーブには、漏下選別部で粗選別された脱穀処理物が供給される。したがって、チャフシーブにかかる選別負荷を軽減することができる。なお、チャフシーブにかかる選別負荷を軽減することができれば、チャフシーブひいては脱穀装置を大型化せずに、大量の作物を選別することができる。
【０００８】
本発明に係る脱穀装置の更なる特徴構成は、前記漏下選別部は、篩い線である、ことにある。
【０００９】
本特徴構成によれば、漏下選別部のうちでも比較的漏下量の多い篩い線によって、漏下選別部が構成されている。これにより、漏下選別部によって、脱穀処理物に含まれる藁等を排除しつつ、多くの穀粒を漏下させることができる。したがって、シーブケースの搬送始端側における穀粒の回収率を向上させることができる。
【００１０】
本発明に係る脱穀装置の更なる特徴構成は、前記第二グレンパンと前記チャフシーブとが、略同じ高さに配置されている、ことにある。
【００１１】
本特徴構成によれば、第二グレンパンとチャフシーブとの間に段差がないことから、唐箕の選別風の流れが良くなる。なお、脱穀処理物が漏下選別部で粗選別されているため、第二グレンパンとチャフシーブとの間に段差を設けなくても、脱穀処理物が詰まることがない。
【００１２】
本発明に係る脱穀装置の更なる特徴構成は、前記チャフシーブは、側面視において搬送終端側上がりに傾斜している、ことにある。
【００１３】
本特徴構成によれば、脱穀処理物が、チャフシーブの傾斜に沿って搬送始端側に案内されることにより、チャフシーブの搬送始端側から漏下し易くなる。したがって、脱穀装置のできるだけ搬送始端側で穀粒を回収することができるため、穀粒の損失の低減を図ることができる。なお、脱穀処理物が漏下選別部で粗選別されているため、チャフシーブが搬送終端側上がりに傾斜していても、脱穀処理物が詰まることがない。
【００１４】
本発明に係る脱穀装置の更なる特徴構成は、前記漏下選別部は、側面視において搬送終端側上がりに傾斜している、ことにある。
【００１５】
本特徴構成によれば、篩い線が傾斜していることにより、篩い線によって脱穀処理物に戻し作用を付与することができる。したがって、篩い線によってグレンパンからの脱穀処理物を搬送始端側に戻すことにより、篩い線による選別機会を多く確保することができる。
【００１６】
本発明に係る脱穀装置の更なる特徴構成は、前記唐箕は、前記シーブケースの下部に供給する選別風が流れる第一風路と、前記シーブケースの上部に供給する選別風が流れる第二風路と、を備え、前記第一グレンパンと前記第二グレンパンとの間には、前記第二風路からの選別風が流れる第三風路が形成されている、ことにある。
【００１７】
本特徴構成によれば、選別風を第一風路及び第二風路によってシーブケースの下部と上部とに振り分けて供給することにより、選別風をシーブケースの下部から上部まで行き渡らせることができる。そして、第二風路からの選別風が第三風路を流れることにより、シーブケースの上部に選別風を確実に供給することができる。
【００１８】
本発明に係る脱穀装置の更なる特徴構成は、前記第三風路は、側面視において搬送終端側上がりに傾斜し、前記漏下選別部は、側面視において搬送終端側上がりに傾斜し、前記第三風路の傾斜角度と前記漏下選別部の傾斜角度とが略同じである、ことにある。
【００１９】
本特徴構成によれば、第三風路からの選別風が、そのままの角度で漏下選別部に沿って流れるため、選別風の流れが良くなる。
【００２０】
本発明に係る脱穀装置の更なる特徴構成は、前記シーブケースにおいて前記第三風路の出口部の下部には、側面視において略波形状の前記第二グレンパンが設けられ、前記第二グレンパンの搬送始端側には、前記第二グレンパンにおける他の波形部よりも深い波形部が形成されている、ことにある。
【００２１】
本特徴構成によれば、第二グレンパン上の脱穀処理物に対して、第三風路からの選別風を直接的に供給することができる。また、脱穀処理物が第二グレンパン上を搬送始端側方向に逆流した場合でも、深い波形部に当該脱穀処理物が落ち込むため、搬送始端側方向への脱穀処理物の更なる逆流が阻止される。したがって、第二グレンパンの搬送始端部から脱穀処理物が落下するのを防止することができる。
【００２２】
本発明に係る脱穀装置の更なる特徴構成は、前記漏下選別部は、篩い線であり、前記篩い線は、側面視において略波形状に形成されている、ことにある。
【００２３】
本特徴構成によれば、篩い線が略波形状に形成されていることにより、篩い線によって脱穀処理物に送り作用を付与することができる。したがって、篩い線によってグレンパンからの脱穀処理物を円滑に搬送しつつ選別することができる。
【００２４】
本発明に係る脱穀装置の更なる特徴構成は、前記漏下選別部は、篩い線であり、前記第一グレンパンの搬送終端部には、複数の前記篩い線が搬送方向に並設され、前記複数の篩い線は、側面視において搬送終端側上がりに傾斜し、かつ、その傾斜角度が搬送終端側の篩い線ほど大きい、ことにある。
【００２５】
本特徴構成によれば、搬送終端側の篩い線ほど大きく傾斜していることにより、篩い線によって脱穀処理物に付与される戻し作用が、搬送終端側ほど大きくなる。したがって、篩い線によって搬送終端側の脱穀処理物を搬送始端側に大きく戻すことにより、篩い線による選別機会を多く確保することができる。
【００２６】
本発明に係る脱穀装置の更なる特徴構成は、前記漏下選別部は、篩い線であり、前記第一グレンパンの搬送終端部には、複数の前記篩い線が搬送方向に並設され、前記複数の篩い線において搬送方向に隣り合う一方の篩い線の搬送終端部と他方の篩い線の搬送始端部との間には、所定の隙間が形成されている、ことにある。
【００２７】
本特徴構成によれば、一方の篩い線と他方の篩い線との間の隙間を、選別風が吹き抜けるため、選別風がスムーズに流れる。また、一方の篩い線と他方の篩い線との間に隙間があることにより、一方の篩い線と他方の篩い線との受け渡し間で、脱穀処理物が詰まり難くい。
【００２８】
本発明に係る脱穀装置の更なる特徴構成は、前記シーブケースにおいて前記篩い線の下方には、前記チャフシーブが設けられ、前記隙間は、平面視において前記チャフシーブの搬送始端側と重複する、ことにある。
【００２９】
本特徴構成によれば、一方の篩い線と他方の篩い線との間の隙間から、脱穀処理物が落下しても、チャフシーブの搬送始端側上に落下するため、一方の篩い線と他方の篩い線との間の隙間から落下した脱穀処理物を、チャフシーブへ受け継ぐことができる。
【００３０】
本発明に係る脱穀装置の更なる特徴構成は、前記シーブケースにおいて前記篩い線の下方には、前記チャフシーブが設けられ、前記複数の篩い線のうち搬送終端側の篩い線は、前記チャフシーブの搬送始端側上方に配置され、かつ、少なくともその一部が、平面視において前記チャフシーブの搬送始端側と重複する、ことにある。
【００３１】
本特徴構成によれば、搬送終端側の篩い線からの脱穀処理物が、チャフシーブの搬送始端側上に落下するため、搬送終端側の篩い線から落下した脱穀処理物を、チャフシーブへ受け継ぐことができる。
【００３２】
本発明に係る脱穀装置の更なる特徴構成は、前記シーブケースの下方には、一番回収部が設けられ、前記複数の篩い線のうち搬送終端側の篩い線は、前記一番回収部の上方に配置され、かつ、少なくともその一部が、平面視において前記一番回収部と重複する、ことにある。
【００３３】
本特徴構成によれば、搬送終端側の篩い線からの脱穀処理物が、一番回収部上に落下するため、搬送終端側の篩い線から落下した脱穀処理物を、一番回収部で回収することができる。
【００３４】
本発明に係る脱穀装置の更なる特徴構成は、前記漏下選別部は、篩い線であり、前記篩い線は、少なくともその一部が前記シーブケースの上辺部よりも上方に突出している、ことにある。
【００３５】
本特徴構成によれば、高い位置にある搬送終端側の篩い線から脱穀処理物が落下し、その落下の際の衝撃によって脱穀処理物の塊がほぐれるため、選別精度の向上を図ることができる。
【図面の簡単な説明】
【００３６】
【図１】脱穀装置を示す側面断面図。
【図２】選別部の前部側を示す側面断面図。
【図３】選別部の前部を示す正面断面図。
【図４】選別部の前部側の左側部を示す側面断面図。
【図５】選別部の前部側の右側部を示す側面断面図。
【図６】動力伝達軸の動力伝達経路を示す線図。
【図７】第一篩い線及び第二篩い線を示す平面図。
【図８】第一篩い線及び第二篩い線を示す斜視断面図。
【図９】選別部の後部側を示す側面断面図。
【図１０】第一ストローラック、第二ストローラック及び第三ストローラックを示す平面図。
【図１１】第一ストローラック、第二ストローラック及び第三ストローラックを示す斜視断面図。
【発明を実施するための形態】
【００３７】
以下、本発明を実施するための形態について図面に基づき説明する。
【００３８】
先ず、脱穀装置の全体構成について、図１により説明する。なお、以下の説明では、脱穀装置において、脱穀処理物の搬送方向を前後方向とし、搬送始端側方向を前方向とし、搬送終端側方向を後方向とする。
【００３９】
図１に示すように、脱穀装置は、穀稈を脱穀して選別する。そして、脱穀装置は、脱穀部１と、選別部２と、を備えている。ちなみに、脱穀装置は、本実施形態では、普通型コンバインに備えられるものであるが、自脱型コンバインに備えられるものでもよい。
【００４０】
脱穀部１は、穀稈を脱穀する。そして、脱穀部１は、穀稈脱穀用の扱胴３を備えている。扱胴３は、前後方向の回転軸３ａを介して、扱室４に回転可能に支持されている。また、脱穀部１には、扱胴３による脱穀処理物を漏下させる受網５が備えられている。
【００４１】
選別部２は、脱穀処理物（受網５から漏下した脱穀処理物）を選別する。そして、選別部２は、揺動選別装置６と、唐箕７と、一番回収部８と、二番回収部９と、を備えている。なお、唐箕７については、詳しくは後述する。
【００４２】
揺動選別装置６は、脱穀処理物（受網５から漏下した脱穀処理物）を揺動選別する。そして、揺動選別装置６は、シーブケース１０と、第一グレンパン１１と、第一篩い線１２及び第二篩い線１３と、第二グレンパン１４と、チャフシーブ１５と、第一ストローラック１６、第二ストローラック１７及び第三ストローラック１８と、グレンシーブ１９と、を備えている。なお、第一篩い線１２及び第二篩い線１３、並びに第一ストローラック１６、第二ストローラック１７及び第三ストローラック１８については、詳しくは後述する。
【００４３】
シーブケース１０は、揺動可能に構成されている。つまり、シーブケース１０は、偏心カム式の揺動機構２０で前後方向に揺動される。そして、シーブケース１０には、第一グレンパン１１と、第一篩い線１２及び第二篩い線１３と、第二グレンパン１４と、チャフシーブ１５と、第一ストローラック１６、第二ストローラック１７及び第三ストローラック１８と、並びにグレンシーブ１９と、が設けられている。したがって、第一グレンパン１１、第一篩い線１２及び第二篩い線１３、第二グレンパン１４、チャフシーブ１５、第一ストローラック１６、第二ストローラック１７及び第三ストローラック１８、並びにグレンシーブ１９は、シーブケース１０とともに前後方向に揺動する。
【００４４】
第一グレンパン１１は、脱穀処理物を比重差選別する。つまり、第一グレンパン１１は、シーブケース１０とともに前後方向に揺動することで、脱穀処理物を後方向に搬送しながら、比重の小さい藁屑等と比重の大きい穀粒等とに上下に層分けする。そして、第一グレンパン１１は、側面視において略波形状に形成されている。この第一グレンパン１１における波形部のうち、最も後端側に位置する波形部には、第一篩い線１２が固定されている。また、第一グレンパン１１は、シーブケース１０の前端側（シーブケース１０の前端部のみ）に設けられている。つまり、第一グレンパン１１は、側面視において第二グレンパン１４よりも短く形成されている。
【００４５】
チャフシーブ１５は、脱穀処理物を漏下選別する。つまり、チャフシーブ１５は、前後方向に所定間隔をあけて整列される角度調整可能な複数のチャフリップ板１５ａを備えている。そして、チャフシーブ１５は、シーブケース１０とともに前後方向に揺動することで、チャフリップ板１５ａの間から穀粒等を漏下させながら、漏下しなかった藁屑等を後方向に搬送する。なお、チャフリップ板１５ａの角度は、図示しない角度調整部によって調整される。
【００４６】
また、チャフシーブ１５は、側面視において後端側上がりに傾斜している。そして、チャフシーブ１５は、第二グレンパン１４の後方に設けられている。つまり、チャフシーブ１５は、第一篩い線１２及び第二篩い線１３の下方に設けられている。換言すると、チャフシーブ１５は、シーブケース１０において唐箕７の後方に設けられている。
【００４７】
第二グレンパン１４は、脱穀処理物を比重差選別する。つまり、第二グレンパン１４は、シーブケース１０とともに前後方向に揺動することで、脱穀処理物を後方向に搬送しながら、比重の小さい藁屑等と比重の大きい穀粒等とに上下に層分けする。また、第二グレンパン１４は、側面視において略波形状に形成されている。そして、第二グレンパン１４の前端側には、第二グレンパン１４における他の波形部よりも深い波形部１４ａが形成されている。つまり、波形部１４ａは、第二グレンパン１４の前端部（最前端部）に形成されている。
【００４８】
また、第二グレンパン１４は、第一グレンパン１１の下方に設けられている。つまり、第二グレンパン１４の上方には、第二グレンパン１４とは別の第一グレンパン１１が設けられている。また、第二グレンパン１４とチャフシーブ１５とが、略同じ高さに配置されている。そして、第二グレンパン１４の後端部とチャフシーブ１５の前端部（最も前端側に位置するチャフリップ板１５ａ）とが、平面視において重複している。
【００４９】
グレンシーブ１９は、脱穀処理物を漏下選別する。つまり、グレンシーブ１９は、単粒化穀粒を一番物として漏下させながら、漏下しなかった枝梗付き穀粒等を二番物として藁屑等とともに後方向に搬送する。また、グレンシーブ１９は、唐箕７の後方であってチャフシーブ１５の下方に設けられている。そして、グレンシーブ１９の前端側には、上方に凸する凸部１９ａが設けられている。例えば、凸部１９ａは、上方に凸するよう（略山型）に折り曲げられた板状部材によって構成されている。
【００５０】
一番回収部８は、単粒化穀粒を一番物として回収する。一番回収部８は、シーブケース１０の前部下方に設けられている。
【００５１】
二番回収部９は、枝梗付き穀粒等を二番物として回収する。二番回収部９は、シーブケース１０の後部下方に設けられている。
【００５２】
次に、唐箕７について、図２から図６により説明する。
【００５３】
図２から図５に示すように、唐箕７は、羽根部材２１と、ファンケース２２と、第一風路２３と、第二風路２４と、を備えている。
【００５４】
羽根部材２１は、左右方向の回転軸２１ａを介して、ファンケース２２に回転可能に支持されている。つまり、羽根部材２１は、左右方向の軸心Ｘ周りに回転可能に構成されている。なお、羽根部材２１の回転方向は、側面視において反時計回り（図２に示す回転方向Ａ）である。そして、羽根部材２１は、側面視においてその回転方向上手側（回転方向Ａとは反対方向側）に凹する略円弧形状に形成されている。つまり、羽根部材２１は、側面視においてその回転方向上手側（回転方向Ａとは反対方向側）に膨らむ略弓形状に形成されている。本実施形態では、複数枚（例えば、四枚）の羽根部材２１が、側面視において左右方向の軸心Ｘ周りに等角度（例えば、９０度）間隔で配置されている。また、羽根部材２１は、側面視において略円形状に形成された複数（例えば、二つ）のフランジ部２１ｂを介して回転軸２１ａに固定されている。
【００５５】
ファンケース２２は、羽根部材２１を覆うように構成されている。そして、ファンケース２２の左右両側部には、外気を吸入する吸入口２２ａが設けられている。
【００５６】
吸入口２２ａは、その開度を調節可能に調節板２５によって覆われている。そして、左側の調節板２５と、右側の調節板２５とは、単一のリンク棒２６で連結されている。つまり、左右両側の調節板２５は、リンク棒２６を揺動支点にして揺動可能に構成されている。そして、左側の調節板２５には、左右両側の調節板２５を揺動操作するための揺動操作部２７が設けられている。
【００５７】
揺動操作部２７は、左側の調節板２５に形成されるガイド孔２８と、ガイド孔２８に差し込まれるガイド軸２９と、ガイド軸２９に螺挿されるナット３０と、を備えている。こうして、左側の調節板２５が、ガイド孔２８を介してガイド軸２９に沿って揺動すると、リンク棒２６を介して右側の調節板２５も揺動する。これにより、左右両側の吸入口２２ａの開度が変更される。つまり、リンク棒２６を介して左右両側の調節板２５が揺動することにより、左右両側の吸入口２２ａの開度が変更される。なお、ナット３０を締め付けることにより、左側の調節板２５を任意の揺動位置に固定することができる。
【００５８】
第一風路２３は、シーブケース１０の下部に供給する選別風が流れる。そして、第一風路２３は、唐箕７の下部で、かつ、シーブケース１０の下方に配置されている。つまり、第一風路２３は、ファンケース２２の後端側下部と連通されている。また、チャフシーブ１５の前側下方には、第一風路２３の選別風を後側上方に案内する案内板３３が設けられている。
【００５９】
案内板３３は、側面視において後端側上がりに傾斜している。そして、案内板３３は、その傾斜角度α１が、複数のチャフリップ板１５ａのうち最も前端側に位置するチャフリップ板（以下「最前端側のチャフリップ板」という。）１５ａの角度調整範囲βにおける中央角度α２と略一致する。つまり、案内板３３の傾斜角度α１と、最前端側のチャフリップ板１５ａの角度調整範囲βにおける中央角度α２とは、略同一角度である。なお、案内板３３の傾斜角度α１と、最前端側のチャフリップ板１５ａの角度調整範囲βにおける中央角度α２とが、完全に一致する（同一角度である）ことが好ましい。
【００６０】
第二風路２４は、シーブケース１０の上部に供給する選別風が流れる。そして、第二風路２４は、唐箕７の上部で、かつ、シーブケース１０の前方に配置されている。つまり、第二風路２４は、ファンケース２２の前端側上部と連通されている。そして、第二風路２４は、前方向に延びて後方向にＵターンするように形成され、かつ、シーブケース１０の前端側に選別風を供給する。そして、第二風路２４の上部は、後端側上がりに傾斜する上向き傾斜風路２４ａで形成されている。なお、シーブケース１０には、第二風路２４からの選別風が流れる詳しくは後述する第三風路３２が形成されている。
【００６１】
また、第二風路２４の上方には、エンジンＥからの動力が伝達される動力伝達軸３１が配置されている（図６参照）。つまり、動力伝達軸３１は、第二風路２４の上向き傾斜風路２４ａの前端側上部に配置されている。なお、動力伝達軸３１の動力は、扱胴３、唐箕７等に伝達される。
【００６２】
第三風路３２は、第一グレンパン１１と第二グレンパン１４との間に形成されている。そして、第三風路３２は、後端側下がりに傾斜する下向き傾斜風路３２ａと、後端側上がりに傾斜する上向き傾斜風路３２ｂと、によって、側面視において略Ｖ字状に形成されている。
【００６３】
そして、第三風路３２（下向き傾斜風路３２ａ）の入口部は、シーブケース１０の前端側縦壁（前壁）と前端側下壁とに亘って設けられている。なお、第三風路３２（下向き傾斜風路３２ａ）の入口部は、シーブケース１０の前端側縦壁（前壁）のみに設けられていてもよいし、あるいは、シーブケース１０の前端側下壁のみに設けられていてもよい。
【００６４】
また、第三風路３２（上向き傾斜風路３２ｂ）の出口部は、第一グレンパン１１の後端側下方に配置されている。そして、第三風路３２（上向き傾斜風路３２ｂ）の出口部の下部には、第二グレンパン１４が設けられている。特に、本実施形態では、第二グレンパン１４の前端部が、第三風路３２の一部（上向き傾斜風路３２ａの底面）を成している。
【００６５】
そして、第三風路３２の上向き傾斜風路３２ｂの傾斜角度と、第一篩い線１２又は／及び第二篩い線１３の傾斜角度と、は略同じである。さらに、第三風路３２の上向き傾斜風路３２ｂの傾斜角度と、第二風路２４の上向き傾斜風路２４ａの傾斜角度と、は略同じである。
【００６６】
以上のような構成によれば、選別風を第一風路２３及び第二風路２４によってシーブケース１０の下部と上部とに振り分けて供給することにより、選別風をシーブケース１０の下部から上部まで行き渡らせることができる。そして、第二風路２４によって選別風をシーブケース１０の前端側に供給することにより、選別風をシーブケース１０の前端側から後端側まで行き渡らせることができる。そして、第二風路２４がＵターンするように形成されている結果、第二風路２４の風路長が長くなることから、選別風の流れが層流になり易い。したがって、流れが安定した選別風を供給することができる。
【００６７】
次に、第一篩い線１２及び第二篩い線１３について、図７及び図８により説明する。
【００６８】
図７及び図８に示すように、第一篩い線１２及び第二篩い線１３は、第一グレンパン１１の後端部に前後方向に並設されている。そして、第一篩い線１２及び第二篩い線１３は、第二グレンパン１４の上方で、かつ、チャフシーブ１５の上方に配置されている。つまり、第一篩い線１２及び第二篩い線１３のうち、第二篩い線１３は、チャフシーブ１５の上方に配置され、かつ、平面視においてチャフシーブ１５と重複している。また、第一篩い線１２の後端部と第二篩い線１３の前端部との間には、所定の隙間Oが形成されている。
【００６９】
隙間Oは、平面視においてチャフシーブ１５の前端側と重複している。つまり、隙間Oは、平面視において第二グレンパン１４の後端部と重複している。
【００７０】
なお、第一篩い線１２及び第二篩い線１３に代えて、例えば、ストローラック、板金打ち抜き型のチャフシーブ、網状又は板金打ち抜き型のグレンシーブ等の篩い線以外の漏下選別部を採用することもできる。ただし、漏下選別部からの漏下量を多くする観点からは、篩い線を採用することが好ましい。
【００７１】
第一篩い線１２は、側面視において略波形状に形成されている。例えば、第一篩い線１２は、ピアノ線で構成されている。そして、第一篩い線１２は、側面視において後端側上がりに傾斜している。この第一篩い線１２の後端側は、第二篩い線１３の前端側よりも高い位置に設けられている。また、第一篩い線１２は、第一グレンパン１１の後端部に設けられている。つまり、第一篩い線１２は、第一グレンパン１１の後端部（最も後端側に位置する波形部）に固定されている。
【００７２】
第二篩い線１３は、側面視において略波形状に形成されている。例えば、第二篩い線１３は、ピアノ線で構成されている。そして、第二篩い線１３は、側面視において後端側上がりに傾斜している。この第二篩い線１３の傾斜角度は、第一篩い線１２の傾斜角度よりも大きい。また、第二篩い線１３は、第一篩い線１２よりも高い位置に設けられている。そして、第二篩い線１３は、少なくともその一部がシーブケース１０の上辺部よりも上方に突出している。また、第二篩い線１３は、チャフシーブ１５の前端側上方に配置され、かつ、少なくともその一部が、平面視においてチャフシーブ１５の前端側と重複している。さらに、第二篩い線１３は、一番回収部８の上方に配置され、かつ、少なくともその一部が、平面視において一番回収部８と重複している。
【００７３】
以上のような構成によれば、第一篩い線１２及び第二篩い線１３が略波形状に形成されていることにより、第一篩い線１２及び第二篩い線１３によって脱穀処理物に送り作用を付与することができる。したがって、第一篩い線１２及び第二篩い線１３によって第一グレンパン１１からの脱穀処理物を円滑に搬送しつつ選別することができる。
【００７４】
また、第一篩い線１２及び第二篩い線１３がチャフシーブ１５の上方まで延びていることにより、チャフシーブ１５には、第一篩い線１２及び第二篩い線１３で粗選別された脱穀処理物が供給される。したがって、チャフシーブ１５にかかる選別負荷を軽減することができる。なお、チャフシーブ１５にかかる選別負荷を軽減することができれば、チャフシーブ１５ひいては脱穀装置を大型化せずに、大量の作物を選別することができる。
【００７５】
次に、第一ストローラック１６、第二ストローラック１７及び第三ストローラック１８ついて、図９から図１１により説明する。
【００７６】
図９から図１１に示すように、第一ストローラック１６は、左右方向に所定間隔Ｄ１をあけて整列される複数の第一ラック板１６ａを備えている。また、第一ストローラック１６は、チャフシーブ１５の後端部に設けられている。この第一ストローラック１６の後端部は、平面視において第二ストローラック１７（第二ラック板固定部材１７ｂ）と重複するように配置されている。
【００７７】
第二ストローラック１７は、第一ストローラック１６の後方に設けられている。そして、第二ストローラック１７は、左右方向に所定間隔Ｄ２をあけて整列される複数の第二ラック板１７ａと、複数の第二ラック板１７ａの前端部が固定される第二ラック板固定部材１７ｂと、隣り合う第二ラック板１７ａ同士の間に第二篩い線１７ｃと、を備えている。この第二ストローラック１７（第二ラック板１７ａ）の後端部は、平面視において第三ストローラック１８（第三ラック板固定部材１８ｂ）の前端部と重複するように配置されている。
【００７８】
第二ラック板固定部材１７ｂには、第二篩い線１７ｃが固定されている。つまり、第二ラック板固定部材１７ｂの下面に、第二ラック板１７ａが固定されているとともに、第二ラック板固定部材１７ｂの上面に、第二篩い線１７ｃが固定されている。
【００７９】
第三ストローラック１８は、第二ストローラック１７の後方に設けられている。そして、第三ストローラック１８は、左右方向に所定間隔Ｄ３をあけて整列される複数の第三ラック板１８ａと、複数の第三ラック板１８ａの前端部が固定される第三ラック板固定部材１８ｂと、隣り合う第三ラック板１８ａ同士の間に第三篩い線１８ｃと、を備えている。
【００８０】
第三ラック板固定部材１８ｂには、第三篩い線１８ｃが固定されている。つまり、第三ラック板固定部材１８ｂの下面に、第三ラック板１８ａが固定されているとともに、第三ラック板固定部材１８ｂの上面に、第三篩い線１８ｃが固定されている。
【００８１】
ここで、図９に示すように、第二ストローラック１７及び第三ストローラック１８は、第一ストローラック１６よりも前後方向に長い。そして、第二ストローラック１７と第三ストローラック１８とは、同一部材によって構成されている。また、第二ストローラック１７と第三ストローラック１８とは、同じ高さに配置されている。そして、第一ストローラック１６は、第二ストローラック１７及び第三ストローラック１８よりも上方に配置されている。つまり、第一ストローラック１６、第二ストローラック１７及び第三ストローラック１８のうち、第一ストローラック１６が最も高く配置されている。
【００８２】
また、図１０に示すように、第一ストローラック１６と第二ストローラック１７とは、平面視において互いに重複するように配置されている。そして、第二ストローラック１７と第三ストローラック１８とは、平面視において互いに重複するように配置されている。また、複数の第二ラック板１７ａの間隔Ｄ２と複数の第三ラック板１８ａの間隔Ｄ３とは、同一である。そして、複数の第一ラック板１６ａの間隔Ｄ１は、複数の第二ラック板１７ａの間隔Ｄ２及び複数の第三ラック板１８ａの間隔Ｄ３よりも大きい。
【００８３】
以上のような構成によれば、チャフシーブ１５の後端部からの脱穀処理物が、第一ストローラック１６から第二ストローラック１７に落下し、その落下の際の衝撃によって脱穀処理物の塊がほぐれる。そして、このほぐれた脱穀処理物が、第二ストローラック１７に加えて第三ストローラック１８でも選別される。したがって、チャフシーブ１５の後端部からの脱穀処理物について穀粒の回収率を向上させることができる。
【産業上の利用可能性】
【００８４】
本発明は、シーブケースと、前記シーブケースに選別風を供給する唐箕と、を備え、前記シーブケースには、その搬送始端側に設けられる第一グレンパンと、前記第一グレンパンの下方に設けられる第二グレンパンと、前記第一グレンパンの搬送終端部に設けられる漏下選別部と、前記第二グレンパンの搬送終端側方に設けられるチャフシーブと、が備えられている脱穀装置に利用可能である。
【符号の説明】
【００８５】
７  唐箕
８  一番回収部
１０  シーブケース
１１  第一グレンパン
１２  第一篩い線（漏下選別部）
１３  第二篩い線（漏下選別部）
１４  第二グレンパン
１４ａ  波形部
１５  チャフシーブ
２３  第一風路
２４  第二風路
３２  第三風路
Ｏ  隙間
【図１】
2014014331.tif 000003
【図２】
2014014331.tif 000004
【図３】
2014014331.tif 000005
【図４】
2014014331.tif 000006
【図５】
2014014331.tif 000007
【図６】
2014014331.tif 000008
【図７】
2014014331.tif 000009
【図８】
2014014331.tif 000010
【図９】
2014014331.tif 000011
【図１０】
2014014331.tif 000012
【図１１】
2014014331.tif 000013